(57)【要約】【課題】墓石等を、高温水を用いて洗浄する洗浄機にいて、１２０℃の吐出温度で、蒸気にせず、熱温水をそのまま吐出することのできる墓石等の清掃用高温洗浄機における噴射ノズルの構造を開発することにある。【解決手段】墓石等の清掃用高温洗浄機における噴射ノズルにおいて、ノズル本体（１）に、側面洗浄用ノズル（２）と、上部平面洗浄用ノズル（３）を取り替え可能に設け、これらのノズル（２）、（３）の先端は、それぞれ縦・横いずれかの方向が短く、横・縦いずれかの方向を長く形成した偏平状であり、また、側面洗浄用ノズル（２）は、ノズル本体（１）とネジ（Ｘ）にて、平行方向に螺着し、上部平面洗浄用ノズル（３）は、ノズル本体（１）とネジ（Ｘ′）にて、垂直方向に螺着したことを特徴とする墓石等の清掃用高温洗浄機における噴射ノズルの構造。【選択図】　　　　　図７
2004057939.tif 000002
【特許請求の範囲】
【請求項１】
墓石等の清掃用高温洗浄機における噴射ノズルにおいて、ノズル本体（１）に、側面洗浄用ノズル（２）と、上部平面洗浄用ノズル（３）を取り替え可能に設け、これらのノズル（２）、（３）の先端は、それぞれ縦・横いずれかの方向が短く、横・縦いずれかの方向を長く形成した偏平状であり、また、側面洗浄用ノズル（２）は、ノズル本体（１）とネジ（Ｘ）にて、平行方向に螺着し、上部平面洗浄用ノズル（３）は、ノズル本体（１）とネジ（Ｘ′）にて、垂直方向に螺着したことを特徴とする墓石等の清掃用高温洗浄機における噴射ノズルの構造。
【発明の詳細な説明】
【０００１】
【発明の属する技術分野】
本発明は、墓石等の清掃用高温洗浄機における噴射ノズルの構造に関するものである。
【０００２】
【従来の技術】
従来、先祖の遺骨を埋設した墓地にある，墓石並びに花立て、灯籠等その附属物は、大抵は、墓参りの際に、墓石に水をかけたり、あるいは、水をかけた後、墓石の表面を乾いたタオルで拭きとる程度のものであった。
【０００３】
しかし、墓石は、大抵、野ざらし状態で風雨にさらされており、その表面に付着した汚れは、結構、酷いものであった。
【０００４】
また、その墓石の清掃も、夏はともかく、冬季には、杓に入れた水を墓石にかける際、杓の柄を墓石の上面より上に位置させて水を掛けなければ、流れた水が、杓の柄から手・腕を伝って流れるため、衣服が濡れてしまい、煩雑なものであった。
【０００５】
そのため、先祖の眠る墓石等を、常に綺麗にしておくため、１２０℃の高温水を用いて洗浄する洗浄機で、美麗に洗浄でき、作業時間が短縮でき、しかも、洗剤等の洗浄液等で環境汚染をすることのない、墓石等を清掃する洗浄機を使用している。
【０００６】
しかし、この洗浄機は１２０℃の高温水を用いて洗浄するため、高温水がノズル先端で水蒸気となり、気化することにより１２００倍の爆発的なパワーを発揮するが、ノズルの先端口にて一般気圧に戻るとき急激な気化現象が起こり、水蒸気となってしまっては、汚れを剥離することは不可能であった。
【０００７】
【発明が解決しようとする課題】
そこで、この発明は、墓石等を、高温水を用いて洗浄する洗浄機にいて、１２０℃の吐出温度で、蒸気にせず、熱温水をそのまま吐出することのできる墓石等の清掃用高温洗浄機における噴射ノズルの構造を開発することにある。
【０００８】
【課題を解決するための手段】
この発明は、墓石等の清掃用高温洗浄機における噴射ノズルにおいて、ノズル本体に、側面洗浄用ノズルと、上部平面洗浄用ノズルを取り替え可能に設け、これらのノズルの先端は、それぞれ縦・横いずれかの方向が短く、横・縦いずれかの方向を長く形成した偏平状であり、また、側面洗浄用のノズルは、ノズル本体とネジにて、平行に螺着し、上部平面洗浄用ノズルは、ノズル本体とネジにて、垂直に螺着したことを特徴とする墓石等の清掃用高温洗浄機における噴射ノズルの構造にある。
【０００９】
【発明の実施の形態】
次に、この発明の一実施例を図１に基づいて詳細に説明すると、墓石等の清掃用高温洗浄機における噴射ノズルにおいて、ノズル本体（１）に、側面洗浄用ノズル（２）と、上部平面洗浄用ノズル（３）を取り替え可能に設け、これらのノズル（２）、（３）の先端は、図５に示す如く、それぞれ縦・横いずれかの方向が短く、横・縦いずれかの方向を長く形成した偏平状であり、また、側面洗浄用ノズル（２）は、ノズル本体（１）とネジ（Ｘ）にて、平行方向に螺着し、上部平面洗浄用ノズル（３）は、ノズル本体（１）とネジ（Ｘ′）にて、垂直方向に螺着したことを特徴とする墓石等の清掃用高温洗浄機における噴射ノズルの構造からなることを特徴とする墓石等の清掃方法から構成される。
【００１０】
尚、側面洗浄用ノズル（２）と、上部平面洗浄用ノズル（３）は、それぞれ回転部（４）を介してノズル本体（１）と螺着するものであり、ノズル本体（１）の外周に設けた環状凹溝（Ｙ）と、回転部（４）の内側に設けた環状突起（Ｚ）とが嵌着し、通常、回転する側面洗浄用のノズル（２）と、上部平面洗浄用ノズル（３）が、それぞれ、係合・固定されるものである。
【００１１】
また、高温水をノズル（２）（３）で噴射する高温洗浄機は、灯油、あるいはガスを熱源とするものであり、ノズル本体（１）には、断熱手段を施し、作業者が火傷などしないよう配慮する必要がある。
【００１２】
【発明の効果】
この発明によると、ノズル本体（１）に、側面洗浄用ノズル（２）と、上部平面洗浄用ノズル（３）を取り替え可能に設け、これらのノズル（２），（３）の先端は、それぞれ縦・横いずれかの方向が短く、横・縦いずれかの方向を長く形成した偏平状とすることにより、清掃面に楕円形状に高温水が当たり、清掃がし易くなる。
【００１３】
また、側面洗浄用ノズル（２）は、ノズル本体（１）とネジ（Ｘ）にて、平行方向に螺着し、上部平面洗浄用ノズル（３）は、ノズル本体（１）とネジ（Ｘ′）にて、垂直方向に螺着したことにより、装着脱が簡単であり、さらに、側面洗浄用ノズル（２）と、上部平面洗浄用ノズル（３）は、それぞれ回転部（４）を介してノズル本体（１）と螺着するものであり、ノズル本体（１）の外周に設けた環状凹溝（Ｙ）と、回転部（４）の内側に設けた環状突起（Ｚ）とが嵌着することにより、堅牢に固定され、吐水口の位置が変更できて、清掃するため、短時間に、汚れが落ちるものである。
【００１４】
さらに、ノズル本体（１）と、側面洗浄用ノズル（２）は、水平方向に螺着されるため、墓石に対して使用し易く、また、ノズル本体（１）と、上部平面洗浄用ノズル（３）とは垂直方向に螺着されるため、墓石の上面を清掃する際には、非常に使用し易く、飛散範囲も少なく、短時間に、汚れが落ちる等極めて有効なる効果を奏するものである。
【図面の簡単な説明】
【図１】この発明の一実施例を示す側面洗浄用ノズルの一部欠截側面図である。
【図２】この発明の一実施例を示す側面洗浄用ノズルの装着状態を示す側面図である。
【図３】この発明の一実施例を示す上部平面洗浄用ノズルの一部欠截側面図である。
【図４】この発明の一実施例を示す上部平面洗浄用ノズルの一部欠截側面図である。
【図５】この発明の一実施例を示す側面洗浄用ノズル、並びに上部平面洗浄用ノズルの先端部の形状を示す説明図である。
【図６】この発明の一実施例を示す側面洗浄用ノズル、並びに上部平面洗浄用ノズルを用いて吐出した形状を示す説明図である。
【図７】この発明の一実施例を示す上部平面洗浄用ノズルの装着状態を示す一部欠截断面図である。
【図８】この発明の一実施例を示す清掃用高温洗浄機の斜視図である。
【符号の説明】
１　ノズル本体
２　側面洗浄用のノズル
３　上部平面洗浄用ノズル
４　回転部
Ｘ　ネジ
Ｙ　環状凹溝
Ｚ　環状突起
【図１】
2004057939.tif 000003
【図２】
2004057939.tif 000004
【図３】
2004057939.tif 000005
【図４】
2004057939.tif 000006
【図５】
2004057939.tif 000007
【図６】
2004057939.tif 000008
【図７】
2004057939.tif 000009
【図８】
2004057939.tif 000010